(57)【要約】【課題】            自重で閉まり、風圧の作用で開くシャッターのブレードと支持ピンの嵌め合い部分とのブレードの振動により発生する異音を抑止する。【解決手段】        通風開口部に支持ピン１０によって両持支持され、自由状態では自重によりその通風開口部を閉止する状態に維持され、通風により支持ピン１０を軸に回動して通風開口部を開放するブレードを有するものについて、支持ピン１０に、開放状態のブレードの振動を吸収する弾性を具備させる。具体的な方法としては、支持ピン１０を軸方向に設けたスリット１２で複数に分割して、ブレードの振動を吸収する弾性を付与する。【選択図】          図４
2005114264.tif 000002
【特許請求の範囲】
【請求項１】
通風開口部に支持ピンによって両持支持され、自由状態では自重によりその通風開口部を閉止する状態に維持され、通風により支持ピンを軸に回動して同通風開口部を開放するブレードを有し、前記支持ピンは、開放状態の前記ブレードの振動を吸収する弾性を備えた振動吸収機能付きシャッター。
【請求項２】
請求項１に記載の振動吸収機能付きシャッターであって、支持ピンを軸方向に設けたスリットで複数に分割して、ブレードの振動を吸収する弾性を付与した振動吸収機能付きシャッター。
【請求項３】
請求項１に記載の振動吸収機能付きシャッターであって、支持ピンを弾性体で構成し、弾性撓みをして、ブレードの振動を吸収する振動吸収機能付きシャッター。
【請求項４】
請求項１〜請求項３までのいずれかに記載の振動吸収機能付きシャッターを備え、ダクトにより室内の空気を室外へ排気するようにしたシャッター付き換気装置。
【発明の詳細な説明】
【技術分野】
【０００１】
本発明は、自重で閉まり、風圧の作用で開く振動吸収機能付きシャッター及びシャッター付き換気装置に関するものである。
【背景技術】
【０００２】
自重で閉まり、風圧の作用で開くシャッターは、換気装置の通風開口部に設けられている。シャッターは、外風を受けても開かず、送風機の運転による風圧を受けると略水平位に開く構造である。そして、シャッター閉止時の衝撃音を軽減する対策が講じられているものが多い。なお、この種の従来技術としては、特許文献１に開示されている技術がある。
【０００３】
【特許文献１】特開平１０―１４１７３２号公報
【発明の開示】
【発明が解決しようとする課題】
【０００４】
自重で閉まり、風圧の作用で開く従来のシャッターは、ブレードが上側で支持ピンで両持支持され、支持ピンを軸にして回動できるようになっている。支持ピンとブレードの嵌め合いは、緩くなっていて、ブレードが自由に回動できる構造である。風圧の作用でブレードが略水平位に開き、ストッパーに当って安定するが、風路の圧力損失の大きさによっては、ブレードがストッパーに当る開度まで開かず、不安定な状態で開いていることがある。この状態では、支持ピンと嵌め合い部分とがブレードの振動とともに当り合い、カタカタといった異音が発生する。この異音の発生を抑止する方策として、これまで支持ピンと嵌め合い部分に潤滑油を塗布しているが、組立の作業性が著しく低下し、潤滑油の塗布についてのバラツキもあり品質が安定しないといった問題点がある。
【０００５】
本発明は、上記した課題を解決するためになされたものであり、その目的とするところは、全開状態でない開度での異音の発生を抑止できる振動吸収機能付きシャッターを得ることであり、そうしたシャッターを備えたシャッター付き換気装置を得ることである。
【課題を解決するための手段】
【０００６】
上記課題を解決するために本発明は、通風開口部に支持ピンによって両持支持され、自由状態では自重によりその通風開口部を閉止する状態に維持され、通風により支持ピンを軸に回動して同通風開口部を開放するブレードを有するものについて、その支持ピンに、開放状態のブレードの振動を吸収できる弾性を具備させる手段を採用する。
【発明の効果】
【０００７】
上記手段を採用することにより、全開状態でない開度にあって、不安定な状態で振動するブレードの振動を支持ピンの弾性で吸収して異音の発生を抑止でき、潤滑油の塗布といった作業を廃止することができる。
【発明を実施するための最良の形態】
【０００８】
本発明は、ダクトによって排気するダクト換気装置のシャッターとして実施される。本体の一面に横向きに構成したダクトを接続するための通風開口部に支持ピンによってブレードを両持支持する。ブレードは、自由状態では自重により通風開口部を閉止し、送風機の運転による通風による風圧で支持ピンを軸に回動して通風開口部を開放する。支持ピンは、弾性体で構成し、軸方向にスリットを設け、複数に分割して、ブレードの振動を吸収する弾性を付与している。ダクトの圧力損失の大きさによって、全開状態とならず、不安定な状態の開度となって振動するブレードの振動は、支持ピンが弾性撓みすることで吸収され、カタカタといった異音の発生が抑止される。
【０００９】
実施の形態１．
図１〜図４によって示す本実施の形態は、天井裏の空間等に取付けられ、天井面に沿って装着された化粧パネルの吸込口から室内の空気を吸込み、本体箱体の一面に設けられた通風開口部からダクトを通じて室外へ排気するシャッター付き換気装置に関するものである。図１は、シャッター付き換気装置の側面図、図２は、シャッター付き換気装置の正面図、図３は、ブレードの側面図、図４は、支持部材の斜視図である。
【００１０】
図１によって示すこのシャッター付き換気装置は、下面の開放した六面体に構成された本体箱体１に送風機が組込まれている。送風機は、吸込側を本体箱体１の開放した下面に向け、吐出し側を本体箱体１の正面に開けられた横向きの開口部に向けて組込まれている。本体箱体１の下面の開放部には化粧パネル２が着脱可能に装着されている。本体箱体１の開口部には、その外側にダクト接続口部品３が装着されている。ダクト接続口部品３は、本体箱体１の開口部に連通する通風開口部４を有する風洞であり、先端側はダクト接続口としてダクト接続可能に構成され、基部側には通風開口部４を開閉する振動吸収機能付きシャッターが設けられている。振動吸収機能付きシャッターは、上下二枚のブレード５と、ブレード５を支える左右一対、二組の支持部材６とにより構成されている。
【００１１】
ブレード５は、図３に示すように平面部の左右にフランジ７を有し、フランジ７の上部左右に嵌め合い部分として丸孔８が開けられている。支持部材６は、図４に示すように支持基板９の中央に支持ピン１０が突出し、支持ピン１０の両側にストッパー１１が突出した弾性体の一体成形物で、ダクト接続口部品３の基部に、支持基板９を外側にして支持ピン１０とストッパー１１が通風開口部４内に略上下配列で突入する状態に対形態で装着される。支持ピン１０は、ブレード５の丸孔８にクリアランスを持って嵌まる径を持つ、先細の円柱状に形成され、軸方向に設けたスリット１２で四分割されている。スリット１２は、ブレード５の振動を吸収する弾性を支持ピン１０に付与する構造であり、ブレード５の振動を吸収するに足る弾性を支持ピン１０に付与できしかも、支持剛性を保てれば、一本でも二本でも、多数でも構わない。支持部材６の材質は、オレフィン系熱可塑性エラストマーが適しているが、ゴム系樹脂でも良い。
【００１２】
ブレード５は、通風開口部４にこの支持ピン１０によって両持支持され、自由状態では自重により通風開口部４を閉止する状態に維持され、本体箱体１側からの通風により支持ピン１０を軸に垂直面内で回動して通風開口部４を開放する。支持ピン１０とブレード５の嵌め合いは、緩くなっていて、ブレード５が自由に回動できる構造である。風圧の作用でブレード５が略水平位に開き、ストッパー１１に当って安定する。接続するダクト長など排気側の風路の圧力損失の大きさによっては、ブレード５がストッパー１１に当る開度まで開かず、不安定な状態で開いていることがある。この状態では、支持ピン１０と嵌め合い部分とがブレード５の振動とともに当り合うが、支持ピン１０の弾性撓みにより吸収され、カタカタといった異音は発生しない。従って、異音の発生を抑止する方策としてこれまで行われてきた、支持ピン１０と嵌め合い部分に潤滑油を塗布する作業は不用であり、潤滑油の塗布についてのバラツキもなく、品質が安定する。
【図面の簡単な説明】
【００１３】
【図１】シャッター付き換気装置を示す側面図である。（実施の形態１）
【図２】シャッター付き換気装置を示す正面図である。（実施の形態１）
【図３】振動吸収機能付きシャッターのブレードを示す側面図である。（実施の形態１）
【図４】振動吸収機能付きシャッターの支持部材を示す斜視図である。（実施の形態１）
【符号の説明】
【００１４】
４  通風開口部、  ５  ブレード、  ８  丸孔、  １０  支持ピン、  １２  スリット。
【図１】
2005114264.tif 000003
【図２】
2005114264.tif 000004
【図３】
2005114264.tif 000005
【図４】
2005114264.tif 000006